(57)【要約】【課題】  シリンジ内部のヒータによる加熱量を過度に増やすことなく、適温まで昇温された薬液および空気が噴射される、安全な薬液噴射加熱スプレーを提供する。【解決手段】  本発明に係る、加熱された空気とともに薬液を噴射する薬液噴射加熱スプレー１００は、小径の内管１１の外側に大径の外管１２が設けられてなる二重管構造を有し、その先端から空気および薬液が噴射されるノズル１０と、ノズル１０の基端を収容することによりノズル１０を支持するシリンジ２０とを備え、シリンジ２０の内部には、内管１１の内部の空間である内腔１０ａに連通し薬液を供給する薬液通路３０と、内管１１の外部かつ外管１２の内部の空間である外腔１０ｂに連通し空気を供給する空気通路４０とを有し、薬液通路３０内に、薬液を加熱する薬液ヒータ３１が設けられており、空気通路４０内に、空気を加熱する第一空気ヒータ４１が設けられている。【選択図】  図２
2014200307.tif 000002
【特許請求の範囲】
【請求項１】
加熱された空気とともに薬液を噴射する薬液噴射加熱スプレーであって、
小径の内管の外側に大径の外管が設けられてなる二重管構造を有し、その先端から空気および薬液が噴射されるノズルと、
前記ノズルの基端を収容することにより前記ノズルを支持するシリンジとを備え、
前記内管の内部に薬液が流通する内腔が形成されているとともに、前記内管の外部かつ前記外管の内部に空気が流通する外腔が形成されており、
前記シリンジは、その内部に、前記内腔に連通し薬液を供給する薬液通路と、前記外腔に連通し空気を供給する空気通路とを有し、
前記薬液通路内に、薬液を加熱する薬液ヒータが設けられており、前記空気通路内に、空気を加熱する第一空気ヒータが設けられている
ことを特徴とする薬液噴射加熱スプレー。
【請求項２】
前記シリンジの外部に、前記空気通路に連通し空気を供給する本体ボックスをさらに備え、
前記本体ボックス内に、空気を加熱する第二空気ヒータが設けられており、
前記第二空気ヒータの加熱量が、前記第一空気ヒータおよび前記薬液ヒータの加熱量より大きい
ことを特徴とする請求項１に記載の薬液噴射加熱スプレー。
【請求項３】
前記内腔と連通し薬液が噴射される薬液噴射口と、
前記薬液噴射口の外側に位置するとともに前記外腔と連通し空気が噴射される空気噴射口とが、前記ノズルの先端に設けられており、
前記薬液噴射口が前記空気噴射口より突出して形成されている
ことを特徴とする請求項１または２に記載の薬液噴射加熱スプレー。
【発明の詳細な説明】
【技術分野】
【０００１】
本発明は、加熱された薬液を噴射するスプレーに関し、特に歯科診療において歯周病等の予防・治療に使用し薬液を噴射する薬液噴射加熱スプレーに関する。
【背景技術】
【０００２】
歯科診療において、治療部分に薬液を供給するため、薬液を空気と共に噴射するスプレーが使用されているが、冷たい薬液では歯に泌みるため、薬液を加熱できるように、ヒータをスプレー本体のシリンジ内に内臓した加熱スプレーが使用されている。
【０００３】
従来の加熱スプレーは、スプレー本体のシリンジの先端にノズルを取り付け、シリンジの内部で加熱した空気および薬液をノズルに供給し、ノズルの先端から空気および薬液が噴射されるよう構成されている（特許文献１．２参照）。
【０００４】
特許文献１，２に係る加熱スプレーにおいては、シリンジ内に中筒とそれを覆う外筒が設けられており、中筒の内部の内腔を空気の流路とし、中筒と外筒との間を薬液の流路として、内腔にヒータを組込み、この内腔でノズルに流れる空気を加熱すると共に、外腔およびノズルを流れる液を空気で加熱するよう構成されている。
【０００５】
特許文献１，２に係る加熱スプレーは、シリンジ内部の内腔内のヒータのみにより薬液および空気を同時に加熱するため、各通路を流れる薬液および空気はノズル先端に至るまでに温度が低下し、噴射する薬液および空気を適温まで昇温させるのが困難であった。もしも、ノズル先端まで到達した薬液および空気が適温となるようにするには、薬液および空気を十分に加熱しておく必要があるが、シリンジ内部のヒータによる加熱量を更に増やすと安全性に懸念が生じる。
【先行技術文献】
【特許文献】
【０００６】
【特許文献１】特開平７−２３９８７号公報
【特許文献２】特開平９−１５４８６０号公報
【発明の概要】
【発明が解決しようとする課題】
【０００７】
そこで、本発明が解決しようとする課題は、シリンジ内部のヒータによる加熱量を過度に増やすことなく、適温まで昇温された薬液および空気が噴射される、安全な薬液噴射加熱スプレーを提供することである。
【課題を解決するための手段】
【０００８】
本発明は、前記課題を解決するためになされたもので、請求項１に記載の発明は、加熱された空気とともに薬液を噴射する薬液噴射加熱スプレーであって、小径の内管の外側に大径の外管が設けられてなる二重管構造を有し、その先端から空気および薬液が噴射されるノズルと、前記ノズルの基端を収容することにより前記ノズルを支持するシリンジとを備え、前記内管の内部に薬液が流通する内腔が形成されているとともに、前記内管の外部かつ前記外管の内部に空気が流通する外腔が形成されており、前記シリンジは、その内部に、前記内腔に連通し薬液を供給する薬液通路と、前記外腔に連通し空気を供給する空気通路とを有し、前記薬液通路内に、薬液を加熱する薬液ヒータが設けられており、前記空気通路内に、空気を加熱する第一空気ヒータが設けられていることを特徴とする薬液噴射加熱スプレーである。
【０００９】
請求項１に記載の発明によれば、ノズルの先端から噴射される空気および薬液のうち、空気はシリンジ内の空気通路内において第一空気ヒータにより加熱され、薬液はシリンジ内の薬液通路内において薬液ヒータにより加熱されるため、シリンジ内のヒータによる加熱量を過度に増やすことなく、適温まで昇温された薬液および空気が噴射される、安全な薬液噴射加熱スプレーを提供することができる。
【００１０】
請求項２に記載の発明は、前記シリンジの外部に、前記空気通路に連通し空気を供給する本体ボックスをさらに備え、前記本体ボックス内に、空気を加熱する第二空気ヒータが設けられており、前記第二空気ヒータの加熱量が、前記第一空気ヒータおよび前記薬液ヒータの加熱量より大きいことを特徴とする請求項１に記載の薬液噴射加熱スプレーである。
【００１１】
請求項２に記載の発明によれば、シリンジ内での加熱量を増やすことなく、シリンジの外部にある第二空気ヒータで空気を十分に加熱することが可能な、薬液噴射加熱スプレーを提供することができる。
【００１２】
請求項３に記載の発明は、前記内腔と連通し薬液が噴射される薬液噴射口と、前記薬液噴射口の外側に位置するとともに前記外腔と連通し空気が噴射される空気噴射口とが、前記ノズルの先端に設けられており、前記薬液噴射口が前記空気噴射口より突出して形成されていることを特徴とする請求項１または２に記載の薬液噴射加熱スプレーである。
【００１３】
請求項３に記載の発明によれば、スプレー圧が高められた薬液噴射加熱スプレーを提供することができる。
【発明の効果】
【００１４】
本発明によれば、ノズルの先端から噴射される空気および薬液のうち、空気はシリンジ内の空気通路内において第一空気ヒータにより加熱され、薬液はシリンジ内の薬液通路内において薬液ヒータにより加熱されるため、シリンジ内のヒータによる加熱量を過度に増やすことなく、適温まで昇温された薬液および空気が噴射される、安全な薬液噴射加熱スプレーを提供することができる。
【図面の簡単な説明】
【００１５】
【図１】本発明の実施形態に係る薬液噴射加熱スプレーの全体を示す正面図である。
【図２】図１に示す薬液噴射加熱スプレーにおけるノズルとシリンジとを示す図であり、（ａ）は部分断面正面図であり、（ｂ）は噴射口近傍を拡大した拡大断面正面図である。
【図３】図１に示す薬液噴射加熱スプレーにおいて、ノズルとシリンジとの接続部近傍を拡大して示す拡大断面正面図である。
【発明を実施するための形態】
【００１６】
次に、本発明の実施形態について図面に基づき説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１７】
（実施形態）
本発明に係る薬液噴射加熱スプレーの実施形態について、図１〜３に基づき説明する。図１は、本発明の実施形態に係る薬液噴射加熱スプレーの全体を示す正面図である。図２は、図１に示す薬液噴射加熱スプレーにおけるノズルとシリンジとを示す図であり、（ａ）は部分断面正面図であり、（ｂ）は噴射口近傍を拡大した拡大断面正面図である。図３は、図１に示す薬液噴射加熱スプレーにおいて、ノズルとシリンジとの接続部近傍を拡大して示す拡大断面正面図である。
【００１８】
薬液噴射加熱スプレー１００は、図１に示すように、先端から空気および薬液を噴射するノズル１０と、ノズル１０を支持するシリンジ２０とを主要な構成要素とする。また薬液噴射加熱スプレー１００は、シリンジ２０から延びる空気供給チューブ４３で繋がれた本体ボックス４４をさらに備えている。
【００１９】
図２に基づいて、ノズル１０について説明する。ノズル１０は、小径の内管１１、およびその外側に設けられた大径の外管１２からなる二重管構造を有している。そして外管１２の外側には保護材１３が設けられている。内管１１の内部には、薬液が流通する内腔１０ａが形成されているとともに、内管１１の外部かつ外管１２の内部には、空気が流通する外腔１０ｂが形成されている。内腔１０ａはノズル１０の先端に形成された薬液噴射口１０ｃまで延びており、外腔１０ｂは薬液噴射口１０ｃの外側に位置する空気噴射口１０ｄまで延びている。ノズル１０には屈曲部１０ｅが設けられており、屈曲部１０ｅより基端側の基軸部１０ｆと屈曲部１０ｅより先端側の鉤部１０ｇとが、約１００度の角度で交わっている。
【００２０】
ノズル１０は、その基端がシリンジ２０に収容されることにより支持される。すなわち、図３に示すように、ノズル１０の基端には外管１２より大径に形成された接続筒１４が設けられており、接続筒１４がシリンジ２０に設けられたノズル収容部２０ａに、嵌められて収容される。
【００２１】
シリンジ２０の内部には、薬液通路３０および空気通路４０が備えられている。薬液通路３０および空気通路４０はいずれも管状に形成されており、それぞれノズル１０の内腔１０ａおよび外腔１０ｂに連通している。すなわち、薬液は薬液通路３０を通り内腔１０ａに供給され、空気は空気通路４０を通り外腔１０ｂに供給される。薬液通路３０内には薬液を加熱する薬液ヒータ３１が設けられており、空気通路４０内には空気を加熱する第一空気ヒータ４１が設けられている。薬液通路３０は閉鎖材３３で閉鎖されており、閉鎖材３３を貫通して、薬液供給チューブ３２および薬液ヒータ３１に電力を供給する電線６０が外に延びている。また、空気通路４０は閉鎖材４５で閉鎖されており、閉鎖材４５を貫通して、空気供給チューブ４３および第一空気ヒータ４１に電力を供給する電線６０が外に延びている。
【００２２】
シリンジ２０からは、空気通路４０に連通する空気供給チューブ４３が、シリンジ２０の端部に設けられた閉鎖材２４を貫通して延び、箱状の本体ボックス４４に連通している。本体ボックス４４内には空気を加熱する第二空気ヒータ４２が設けられている。すなわち、本体ボックス４４内で第二空気ヒータ４２により加熱された空気が、空気供給チューブ４３を介して、シリンジ２０内の空気通路４０に供給される。
【００２３】
またシリンジ２０からは、薬液通路３０に連通する薬液供給チューブ３２が、閉鎖材２４を貫通して外に延びており、図示しない薬液タンクにつながれている。薬液タンクには薬液が貯留されており、図示しないポンプにより、薬液は薬液供給チューブ３２を介して薬液通路３０に供給される。本実施形態に係る薬液噴射加熱スプレー１００の薬液タンクおよびポンプとして、可搬性のあるコンパクトなものを選択すれば、コンプレッサーなどの特別な設備のない場所でも使用できるため、好適である。なお、薬液ヒータ３１および第一空気ヒータ４１に電力を供給する電線６０も、閉鎖材２４を貫通して、シリンジ２０の外まで延びている。
【００２４】
次に、ノズル１０とシリンジ２０との結合部の詳細について、図３に基づき説明する。ノズル１０の基端を収容するノズル収容部２０ａは、シリンジ２０内のシリンジ内筒２２で構成されており、シリンジ内筒２２はシリンジ外筒２１により支持されている。ノズル１０の基端には接続筒１４が形成されており、接続筒１４がシリンジ内筒２２に嵌入されている。シリンジ内筒２２は薬液通路３０と連通している。また、接続筒１４の基端には内腔１０ａと連通する薬液導入孔１４ｃが設けられている。したがって、薬液通路３０は内腔１０ａに連通している。なお、本実施形態においては、薬液通路３０と薬液導入孔１４ｃとの間には薬液フィルタ１７が設けられており、ノズル１０の内腔１０ａに供給される薬液はここでろ過される。薬液フィルタ１７は必須の構成要素ではない。
【００２５】
シリンジ２０内の空気通路４０は、シリンジ内筒２２に設けられた空気連絡孔２２ａ、接続筒１４において小径に形成された空気導入部１４ａ、および空気導入部１４ａに設けられた空気導入孔１４ｂを介して、ノズル１０の外腔１０ｂに連通している。
【００２６】
接続筒１４には、三つのＯリング１６ａ，１６ｂ，１６ｃが設けられており、接続筒１４がノズル収容部２０ａに収容されている状態では、Ｏリング１６ａ，１６ｂ，１６ｃはシリンジ内筒２２の内面に密着する。接続筒１４において小径に形成された空気導入部１４ａは、Ｏリング１６ａとＯリング１６ｂとの間に挟まれているため、Ｏリング１６ａとＯリング１６ｂとの間において軸方向に気密に保たれる。そのため、空気通路４０から供給された空気は、漏れることなく外腔１０ｂに導入される。また、薬液導入孔１４ｃより先端側にはＯリング１６ｃが存在するため、Ｏリング１６ｃより基端側は軸方向に水密に持たれる。そのため、薬液通路３０から供給された薬液は、漏れることなく内腔１０ａに導入される。
【００２７】
また、接続筒１４は断面が円形であるため、ノズル収容部２０ａの内部で、気密・水密を維持したまま、軸周りに自由に回転させることができる。そしてノズル１０には屈曲部１０ｅが設けられており、屈曲部１０ｅより基端側の基軸部１０ｆと屈曲部１０ｅより先端側の鉤部１０ｇとは、約１００度の角度で交わっている。すなわち、薬液噴射口１０ｃおよび空気噴射口１０ｄは、基軸部１０ｆの延びる方向に対して角度を持つ。したがって、ノズル１０をシリンジ２０に対して回転させることにより、様々な方向に向けて薬液および空気を噴射することが可能となる。屈曲部１０ｅにおける基軸部１０ｆと鉤部１０ｇとの交わる角度は、１００±１０度が好適である。なお、接続筒１４にはスナップリング１５が設けられており、シリンジ外筒２１に結合されるナット２３により、スナップリング１５の軸方向の位置が規制され、ノズル１０がシリンジ２０から抜けないよう構成されている。
【００２８】
また、シリンジ２０にはスイッチ５０が設けられており、スイッチ５０を操作することにより、加熱された空気および薬液がノズル１０の先端から噴射されるよう構成されている。なお、薬液噴射加熱スプレー１００は、使用者によりシリンジ２０の把持部２０ｂが握られて使用される。
【００２９】
次に、本実施形態に係る薬液噴射加熱スプレー１００に設けられた三つのヒータの作用について説明する。
【００３０】
薬液噴射加熱スプレー１００により噴射される空気は、まず本体ボックス４４内で第二空気ヒータ４２により加熱される。第二空気ヒータ４２はシリンジ２０の外部にあるため、加熱量を大きくしても安全性を損なうことなく、十分に加熱することができる。本体ボックス４４で十分に加熱された空気は、空気供給チューブ４３を通り、シリンジ２０内の空気通路４０に導入される。そして空気通路４０内において、第一空気ヒータ４１により再度加熱される。したがって空気通路４０内においては、少ない加熱量で、空気を十分に昇温させることができる。そのため、シリンジ２０の把持部２０ｂを握る使用者が、安全に使用することができる。空気通路４０内で加熱された空気は、外腔１０ｂに供給される。そして使用者のスイッチ５０の操作により、ノズル１０の先端の空気噴射口１０ｄから空気が噴射される。
【００３１】
一方、薬液は図示しない薬液タンクから、薬液供給チューブ３２を通り、シリンジ２０内の薬液通路３０に導入される。そして薬液ヒータ３１により加熱される。加熱された薬液は、内腔１０ａに供給される。そして使用者のスイッチ５０の操作により、ノズル１０の先端の薬液噴射口１０ｃから薬液が噴射される。したがって、ノズル１０の先端からは、加熱された薬液が線状に噴射され、その外周を加熱された空気が囲むことになる。
【００３２】
なお、本実施形態に係る薬液噴射加熱スプレー１００は、図２（ｂ）に示すように、内管１１が外管１２より若干長く形成されており、そのため薬液噴射口１０ｃが空気噴射口１０ｄより０．５ｍｍほど突出するよう構成されている。これによりスプレー圧が高められている。また、本実施形態に係る薬液噴射加熱スプレー１００は、外管１２の内径がノズル１０の基端から先端に向けて徐々に減少するよう形成されており、具体的には、基端での内径が２ｍｍであり、先端での内径が０．７ｍｍとされている。一方、内管の内径は基端から先端にかけて一定に設定されている。したがって、外腔１０ｂの断面積は、基端から先端に向けて徐々に減少するよう構成されるため、先端の空気噴射口１０ｄから噴射される空気の速度を高めることが可能となる。
【００３３】
本実施形態に係る薬液噴射加熱スプレー１００は、シリンジ２０内に収められているヒータが、空気を加熱する第一空気ヒータ４１と薬液を加熱する薬液ヒータ３１とで、それぞれ独立しているため、大きなヒータを用いる必要がない。そのため、把持部２０ｂを握る使用者がやけどなどするおそれが少なく、安全に使用することが可能となる。
【００３４】
また、第二空気ヒータ４２がシリンジ２０の外部に存在し、本体ボックス４４内で空気が十分に加熱されてから供給されるため、シリンジ２０内の第一空気ヒータ４１による加熱量を抑えつつも、適温まで昇温された空気を噴射することが可能となる。
【符号の説明】
【００３５】
１００    薬液噴射加熱スプレー
１０      ノズル
１０ａ    内腔
１０ｂ    外腔
１１      内管
１２      外管
２０      シリンジ
３０      薬液通路
３１      薬液ヒータ
４０      空気通路
４１      第一空気ヒータ
４２      第二空気ヒータ
４４      本体ボックス
【図１】
2014200307.tif 000003
【図２】
2014200307.tif 000004
【図３】
2014200307.tif 000005